(57)【要約】【課題】ディスク状記録媒体を搬送する構成を簡略化でき薄型化できるディスク装置を提供する。【解決手段】光ディスク１０１がセンタリング位置に位置する状態で、搬送に応じて回動したイジェクトアーム３５０の先端側が光ディスク１０１に重畳しない位置でガイドアーム３３０に当接してガイドアーム３３０を回動規制し、ガイドアーム３３０、ロードアーム３４０およびイジェクトアーム３５０にて光ディスク１０１をセンタリング位置に位置決め保持する。光ディスク１０１からロードアーム３４０およびイジェクトアーム３５０を離間させる際、イジェクトアーム３５０にてガイドアーム３３０を押動させる。【選択図】図４
2010153008.tif 000002
【特許請求の範囲】
【請求項１】
ディスク状記録媒体を出し入れする挿排口を有した筐体と、
前記筐体内に配設され前記ディスク状記録媒体を回転可能に保持する回転機構部と、
前記挿排口を介して挿排される挿排位置と前記ディスク状記録媒体を前記回転機構部で保持するためのセンタリング位置との間の搬送経路において前記ディスク状記録媒体を搬送し、前記筐体内に配される搬送機構部と、を具備し、
前記搬送機構部は、
前記回転機構部に対して先端側が近接離間する状態に回動可能に前記筐体内に配設され、前記ディスク状記録媒体の周縁に先端側が当接して搬送を案内するガイド部材と、
前記ガイド部材に対して前記回転機構部を介して反対側に位置し、前記回転機構部に対して先端側が近接離間する状態に回動可能に配設され、回動により前記ディスク状記録媒体の周縁に先端側が当接して前記ディスク状記録媒体を前記センタリング位置へ挿入する挿入部材と、
先端側が前記ディスク状記録媒体の周縁に当接しつつディスク挿入方向およびディスク排出方向に進退する状態に回動可能に配設され、前記ディスク排出方向への回動により前記ディスク状記録媒体を前記挿排口へ排出する排出部材と、
前記挿入部材および前記排出部材を回動させる駆動手段と、を備え、
前記ガイド部材および前記排出部材は、
挿入された前記ディスク状記録媒体が前記センタリング位置に位置した際、前記排出部材の先端側が前記ディスク状記録媒体に重畳しない位置で前記ガイド部材に当接して回動規制され、前記ガイド部材、前記挿入部材および前記排出部材にて前記ディスク状記録媒体を前記センタリング位置に位置決め保持し、
前記ディスク状記録媒体が前記回転機構部に装着された際、前記駆動手段により前記挿入部材および前記排出部材が前記ディスク状記録媒体から離間する方向に回動させるとともに前記ガイド部材が回動される前記排出部材と連動し前記ディスク状記録媒体から離間する方向に退避される
ことを特徴としたディスク装置。
【請求項２】
請求項１に記載のディスク装置であって、
前記ガイド部材は、前記ディスク挿入方向および前記ディスク排出方向の一側に長手方向が前記ディスク挿入方向および前記ディスク排出方向に沿って先端側が前記回転機構部に対して近接離間可能に回動する状態で、前記排出部材の先端部が回動中心と先端側との中間位置に当接可能に配設された
ことを特徴としたディスク装置。
【請求項３】
請求項１または請求項２に記載のディスク装置であって、
前記ガイド部材および前記排出部材の先端部には、
前記ディスク状記録媒体が前記センタリング位置に搬送された際に互いに係脱可能に係合し、前記ディスク状記録媒体を前記センタリング位置に位置決め保持させる位置で前記ガイド部材の回動を規制する係合手段が設けられた
ことを特徴としたディスク装置。
【請求項４】
請求項３に記載のディスク装置であって、
前記係合手段は、
前記排出部材の先端部に前記ディスク挿入方向および前記ディスク排出方向上と同一面状に位置する状態で設けられた突起部と、
前記ガイド部材に設けられ前記突起部が係脱可能な係合凹部と、を備えた
ことを特徴としたディスク装置。
【請求項５】
請求項４に記載のディスク装置であって、
前記係合凹部は、
前記ディスク状記録媒体を前記センタリング位置に位置決め保持させる位置で前記突起部が係合して前記ガイド部材を回動規制させる第一凹部と、
この第一凹部に連続し前記排出部材が前記ディスク状記録媒体から離間する方向に回動することで前記突起部が係合して前記ガイド部材を前記ディスク状記録媒体から離間させる第二凹部と、を備えた
ことを特徴としたディスク装置。
【請求項６】
請求項１から請求項５までのいずれか一項に記載のディスク装置であって、
前記搬送機構部は、
前記排出部材の回動基端側の近傍に、前記排出部材の回動平面上に位置して同一平面で回動可能に配設され、前記センタリング位置に搬送された前記ディスク状記録媒体の周縁に前記排出部材の先端側が当接する際に前記排出部材が当接されて回動規制され、前記ガイド部材と、前記挿入部材と、前記排出部材とにより前記ディスク状記録媒体を前記センタリング位置に位置決め保持するとともに、
前記駆動手段により前記ディスク状記録媒体から離間する方向に前記挿入部材とともに回動される前記排出部材により前記ディスク状記録媒体から離間する方向に押動される位置決めガイド部材を備えた
ことを特徴としたディスク装置。
【請求項７】
請求項１から請求項６までのいずれか一項に記載のディスク装置であって、
前記駆動手段は、
前記挿排口から挿入される前記ディスク状記録媒体により前記排出部材が回動されたことを検出する検出手段と、
この検出手段による前記排出部材の回動の検出により駆動する駆動モータと、
この駆動モータにより前記ディスク状記録媒体の搬送方向に移動可能に設けられ、前記挿入部材および前記排出部材が回動可能に係合され、前記駆動モータの駆動により移動して前記挿入部材および前記排出部材を回動させる移動カムと、を備えた
ことを特徴としたディスク装置。
【請求項８】
請求項７に記載のディスク装置であって、
前記検出手段は、前記排出部材の回動状態によりオンオフする検出スイッチを備えた
ことを特徴としたディスク装置。
【発明の詳細な説明】
【技術分野】
【０００１】
本発明は、ディスク状記録媒体を搬送する搬送機構を備えたディスク装置に関する。
【背景技術】
【０００２】
従来、例えば図1に示すような、ディスク状の記録媒体を搬送する搬送機構を備えたディスク装置であるディスクドライブが知られている（例えば、特許文献１参照）。
この特許文献１に記載のような図1に示すディスクドライブ１０は、スリット状の図示しない挿排口から挿入されるディスク状の記録媒体１を着脱可能に保持して回転させ情報処理する。このディスクドライブ１０は、挿排口から挿入された記録媒体１を情報処理のために着脱可能に保持するセンタリング位置へ挿入（図１中における下部から上部への方向）、若しくはセンタリング位置から挿排口へ排出（図１中における上部から下部への方向）する搬送装置を備えている。
【０００３】
搬送装置は、センタリング位置から挿排口へ記録媒体１を排出するイジェクトアーム１１と、挿排口から挿入された記録媒体１をセンタリング位置へ挿入するロードアーム１２と、挿排口およびセンタリング位置間での記録媒体１の搬送を案内するガイドアーム１３と、などを備えている。
イジェクトアーム１１は、回動可能に配設され挿排口から挿入された記録媒体１の周縁に先端部が当接して回動される。また、イジェクトアーム１１は、センタリング位置に位置する記録媒体１を挿排口へ排出するに際しては、駆動モータ２１の駆動により移動される第一カム２２により回動され、先端部が記録媒体１の周縁に当接して挿排口へ排出する。
ロードアーム１２は、ディスク状の記録媒体１が挿排口から挿入されイジェクトアーム１１が回動されることで記録媒体１の挿入を検出し、駆動モータ２１が駆動して第一カム２２が移動することで回動する。この回動により、先端側が挿排口から半分以上挿入された記録媒体１の周縁に先端部が当接し、記録媒体１をセンタリング位置へ挿入させる。
ガイドアーム１３は、ロードアーム１２に対して記録媒体１が搬送される搬送経路の反対側に位置して配設され、記録媒体１の挿入が検出されて第一カム２２が移動することで移動する第二カム２３にて回動され、搬送される記録媒体１の周縁に当接してセンタリング位置まで案内する。
そして、これらイジェクトアーム１１、ロードアーム１２およびガイドアーム１３は、センタリング位置まで搬送した記録媒体１を情報処理のためにチャッキング動作にてターンテーブル２４にクランプするまで記録媒体１の周縁に当接して位置決め保持する。さらに、移動する第一カム２２および第二カム２３によりターンテーブル２４を備えたトラバースメカ２５が回動され、記録媒体１がクランプされる。このチャッキング動作後に、さらに移動する第一カム２２および第二カム２３により、イジェクトアーム１１、ロードアーム１２およびガイドアーム１３は、情報処理可能に記録媒体１の周縁から離間する状態に回動される。
【０００４】
【特許文献１】ＷＯ２００６／６４８２号公報
【発明の開示】
【発明が解決しようとする課題】
【０００５】
ところで、上記特許文献１のような従来の構成では、イジェクトアーム１１は記録媒体１を排出するために挿排口に対して奥側に配設されるとともに、回動により挿排口から記録媒体を容易に取り出せる位置まで排出するために回動中心から記録媒体１の周縁に当接する先端部までの長さ寸法が長くなり、回動範囲も広くなる。また、記録媒体１を確実にターンテーブル２４にチャッキングするためにセンタリング位置まで案内して位置決め保持するためのガイドアーム１３は、ロードアーム１２に対して反対側に配設する必要がある。このため、トラバースメカ２５の回動に用いる第二カム２３を利用して簡単な構成で適宜回動させる構成としている。
したがって、イジェクトアーム１１とガイドアーム１３とが互いに重なり合う構成となり、回動の際に互いに引っ掛からないように例えば図１に示すようなリブ２６を設ける必要もあるなど、構成の簡略化や、小型化、特に厚さ寸法のさらなる薄型化が困難となっている。
【０００６】
本発明は、上記のような点などに鑑みて、ディスク状記録媒体を搬送する構成の簡略化および薄型化が得られるディスク装置を提供することを１つの目的とする。
【課題を解決するための手段】
【０００７】
請求項１に記載の発明は、ディスク状記録媒体を出し入れする挿排口を有した筐体と、前記筐体内に配設され前記ディスク状記録媒体を回転可能に保持する回転機構部と、前記挿排口を介して挿排される挿排位置と前記ディスク状記録媒体を前記回転機構部で保持するためのセンタリング位置との間の搬送経路において前記ディスク状記録媒体を搬送し、前記筐体内に配される搬送機構部と、を具備し、前記搬送機構部は、前記回転機構部に対して先端側が近接離間する状態に回動可能に前記筐体内に配設され、前記ディスク状記録媒体の周縁に先端側が当接して搬送を案内するガイド部材と、前記ガイド部材に対して前記回転機構部を介して反対側に位置し、前記回転機構部に対して先端側が近接離間する状態に回動可能に配設され、回動により前記ディスク状記録媒体の周縁に先端側が当接して前記ディスク状記録媒体を前記センタリング位置へ挿入する挿入部材と、先端側が前記ディスク状記録媒体の周縁に当接しつつディスク挿入方向およびディスク排出方向に進退する状態に回動可能に配設され、前記ディスク排出方向への回動により前記ディスク状記録媒体を前記挿排口へ排出する排出部材と、前記挿入部材および前記排出部材を回動させる駆動手段と、を備え、前記ガイド部材および前記排出部材は、挿入された前記ディスク状記録媒体が前記センタリング位置に位置した際、前記排出部材の先端側が前記ディスク状記録媒体に重畳しない位置で前記ガイド部材に当接して回動規制され、前記ガイド部材、前記挿入部材および前記排出部材にて前記ディスク状記録媒体を前記センタリング位置に位置決め保持し、前記ディスク状記録媒体が前記回転機構部に装着された際、前記駆動手段により前記挿入部材および前記排出部材が前記ディスク状記録媒体から離間する方向に回動させるとともに前記ガイド部材が回動される前記排出部材と連動し前記ディスク状記録媒体から離間する方向に退避されることを特徴としたディスク装置である。
【発明を実施するための最良の形態】
【０００８】
以下、本発明に係る一実施形態のディスク装置を図面に基づいて説明する。
図２は、本発明に係る一実施形態のディスク装置の初期状態における内部構成を示す概略平面図である。図３は、前記実施形態におけるディスク装置の内部構成を示す概略正面断面図である。図４は、前記実施形態におけるディスク装置のセンタリング時の内部構成を示す概略平面図である。図５は、前記実施形態におけるディスク装置のチャッキング後の情報処理する状態の内部構成を示す概略平面図である。図６は、前記実施形態におけるディスク装置のイジェクト時の内部構成を示す概略平面図である。
【０００９】
〔ディスク装置の構成〕
図２において、１００は、本発明の一実施形態に係るディスク装置であり、このディスク装置１００は、ディスク状記録媒体としての光ディスク１０１の少なくとも一面に設けられた図示しない記録面に記録された情報を読み出す読取処理や、記録面へ各種情報を記録する記録処理である情報処理を実施する。このディスク装置１００は、例えばノート型パーソナルコンピュータなど、比較的厚み寸法に制限がある電気機器に装着されるいわゆる薄型スロットインタイプディスク装置である。なお、本実施形態では、ノート型パーソナルコンピュータに装着される薄型のディスク装置１００を例示するが、これに限らず、例えばゲーム機や、映像データの録画再生処理を実施する、いわゆるビデオ装置などに装着されてもよい。また、読取処理および記録処理のうちいずれか一方のみを実施する構成としても対象とすることができる。
なお、ディスク状記録媒体としては、光ディスク１０１に限らず、磁気ディスク、光磁気ディスクなどのいずれのディスク状記録媒体を対象とすることができる。
【００１０】
そして、ディスク装置１００は、例えば金属製で内部空間を有する略箱形状のケース体を構成する筐体１１０を備えて構成されている。なお、この筐体１１０において、図２中の下側の面を正面１１０Ａ、図２中の筐体１１０の左側壁を左壁１１０Ｂ、図２中の筐体１１０の右側壁を右壁１１０Ｃ、図２中の上側の面を背面１１０Ｄ、図２中の紙面手前側を天面側、図２中の紙面奥側を底面側と適宜称する。
【００１１】
筐体１１０は、筐体本体部１１１と、図中の筐体本体部１１１の右側に設けられるウィング部１１２とを備えて構成されている。これらの筐体本体部１１１およびウィング部１１２は、天面が同一平面上に形成され、底面が異なる高さ寸法に形成されている。すなわち、ウィング部１１２の底面は、筐体本体部１１１の底面よりも天面からの距離寸法が小さく形成されている。そして、筐体本体部１１１の右壁１１０Ｃ側には、筐体本体部１１１の底面から立ち上がり、筐体本体部１１１の底面およびウィング部１１２の底面を連結する段差壁部１１３（図３参照）が形成されている。
【００１２】
筐体本体部１１１の背面１１０Ｄ側には、後述する制御回路部を覆うベースプレート１１４が固定されている。このベースプレート１１４は、例えばアルミなどの金属により、左右方向（左壁１１０Ｂから右壁１１０Ｃに向かう方向）に長手となる略板状に形成されている。このベースプレート１１４は、筐体本体部１１１の底面に対向して、ウィング部１１２の底面と略同一高さ平面上に配置されている。
このベースプレート１１４には、図示しない各種形状のスリットが設けられている。
【００１３】
そして、筐体１１０の内部には、いわゆるトラバースメカと称されるディスク処理部２００と、光ディスク１０１を搬送する搬送機構部を構成する搬送手段３００と、搬送機構部を構成する図示しない制御回路部とが設けられている。そして、筐体１１０の正面１１０Ａには、光ディスク１０１を挿入排出するためのスリット状の開口である挿排口としての図示しないスロットが図２中左右方向に延びて形成された化粧部材１１５が設けられている。
【００１４】
ディスク処理部２００は、例えば金属板にて略枠状に形成され一端が揺動自在に筐体１１０に支持された台座部２１０を有している。この台座部２１０は、筐体１１０の左壁１１０Ｂの正面１１０Ａ側から、筐体１１０の中心位置に向かって長手枠状に形成されている。また、台座部２１０には、長手方向に沿って長手状の処理開口部２１０Ａが略中央に切欠形成されている。そして、台座部２１０の処理開口部２１０Ａの一端側、すなわち筐体１１０の略中心位置に、ディスク回転駆動手段２２０が配設されている。このディスク回転駆動手段２２０は、図３に示すようなスピンドルモータ２２１と、図２に示すようなスピンドルモータ２２１の出力軸２２１Ａに一体的に設けられたターンテーブル２２２とを備えている。スピンドルモータ２２１は、制御回路部に制御可能に接続され、制御回路部から供給される電力により駆動する。ターンテーブル２２２は、筐体１１０の内部の略中心部に設けられるとともに光ディスク１０１を回転駆動する駆動部である。
【００１５】
また、台座部２１０には、情報処理部２４０が配設されている。この情報処理部２４０は、一対のガイドシャフト２４１間に架橋する状態に支持されており、台座部２１０に配設された移動機構部２５０により処理開口部２１０Ａ内でターンテーブル２２２に対して近接離隔される。この情報処理部２４０は、図示しない光源と、この光源からの光を収束するピックアップレンズ２４０Ａと、光ディスク１０１で反射された出射光を検出する図示しない光センサとを有するピックアップを備えている。
【００１６】
搬送手段３００は、筐体１１０に配設された、駆動手段３１０と、ガイド部材としてのガイドアーム３３０と、挿入部材としてのロードアーム３４０と、排出部材としてのイジェクトアーム３５０と、位置決めガイド部材３７０と、などを備えている。
そして、駆動手段３１０は、例えば制御回路部に動作制御される駆動モータ３１１と、筐体１１０内に前後方向で移動可能に配設された第一移動カム３１２と、この第一移動カム３１２に係合され第一移動カム３１２の移動により筐体１１０内に左右方向で移動可能に配設された第二移動カム３１３と、駆動モータ３１１の駆動により第一移動カム３１２を移動させる複数の歯車３１４Ａを有する駆動伝達部３１４と、を備えている。
第一移動カム３１２および第二移動カム３１３には、台座部２１０に設けられた揺動ピン２１１が移動可能に係合する図示しない揺動カム溝がそれぞれ設けられている。そして、台座部２１０は、第一移動カム３１２および第二移動カム３１３の移動により、ターンテーブル２２２が設けられた側が光ディスク１０１のディスク挿入方向およびディスク排出方向となる搬送される軌跡である搬送経路上にターンテーブル２２２が進退する状態に揺動される。
【００１７】
ガイドアーム３３０は、鋼板や樹脂などにて長手状に形成されている。このガイドアーム３３０は、長手方向の一端が、筐体１１０の背面１１０Ｄ側の左壁１１０Ｂ側に、長手方向が筐体１１０の前後方向に沿い、長手方向の他端側となる先端側がディスク回転駆動手段２２０に対して近接・離間する方向、すなわち左壁１１０Ｂ側から中央に向けて回動する状態（図２中矢印参照）に軸支されている。
そして、ガイドアーム３３０の先端部には、挿排口から挿入され搬送される光ディスク１０１の外周縁に当接するリブ３３１が設けられている。このリブ３３１は、光ディスク１０１の搬送される軌跡である搬送経路、すなわち前後方向に沿ったガイド平面３３１Ａを有する。
また、ガイドアーム３３０には、基端側に位置して先端部を筐体１１０の中心側に回動させる方向で張力を作用させるコイルばね３３２Ａが取り付けられるコイルばね取付部３３２が設けられている。さらに、ガイドアーム３３０には、ベースプレート１１４に設けられた図示しないスリットに移動可能に係合し、コイルばね３３２Ａの張力に抗してガイドアーム３３０の先端側が筐体１１０の中心側へ回動することを規制する図示しない移動規制ピンが設けられている。
そして、ガイドアーム３３０には、中間部に位置して、係合手段を構成する係合凹部３３３が設けられている。この係合凹部３３３は、第一凹部３３３Ａと、この第一凹部３３３Ａに連続する第二凹部３３３Ｂを有している。第一凹部３３３Ａは、イジェクトアーム３５０が係脱可能に形成され、イジェクトアーム３５０が係合する状態で、リブ３３１にて光ディスク１０１をターンテーブル２２２にチャッキングするためにセンタリング位置に位置決め保持させる保持状態（図４参照）に、ガイドアーム３３０の回動が規制される形状に形成されている。また、第二凹部３３３Ｂは、イジェクトアーム３５０が係合する状態で、ターンテーブル２２２にクランプされた光ディスク１０１からリブ３３１が離間する離間状態（図５参照）にガイドアーム３３０を回動させて位置決め規制する形状に形成されている。
【００１８】
ロードアーム３４０は、長手状に形成され、一端部に光ディスク１０１の外周縁に当接する当接ローラ３４１が設けられ、他端部が筐体１１０におけるウィング部１１２、すなわちガイドアーム３３０と反対側に回動自在に支持されている。
このロードアーム３４０には、長手方向に沿ってガイド溝３４２が形成されている。そして、ロードアーム３４０には、ガイド溝３４２に係合するリンクアーム３４３が設けられている。
リンクアーム３４３は、筐体１１０に回動可能に軸支されるとともに、ロードアーム３４０のガイド溝３４２に係合する係合突起３４３Ａと、第一移動カム３１２の第一カム溝３１２Ａに係合する係合凸部３４３Ｂとを備えている。さらに、リンクアーム３４３は、一端側が筐体１１０に取り付けられた図示しないコイルばねの他端が取り付けられ、ロードアーム３４０の先端側を筐体１１０の中心に向けて回動させる付勢力を作用させている。
そして、ロードアーム３４０は、光ディスク１０１が挿排口内に半分以上挿入され、コイルばねの付勢力に抗してロードアーム３４０の先端側が右壁１１０Ｃ側に回動された後、駆動モータ３１１の駆動にて移動する第一移動カム３１２によりリンクアーム３４３が回動される。そして、ロードアーム３４０は、このリンクアーム３４３の回動により、先端側がディスク回転駆動手段２２０に対して近接・離間する方向、すなわち筐体１１０の中央部分に向けて回動して光ディスク１０１をセンタリング位置へ搬送する状態に設けられている（図２中矢印参照）。
【００１９】
イジェクトアーム３５０は、長手Ｌ字状に形成され、一端側がベースプレート１１４に回動可能に配設されている。
そして、イジェクトアーム３５０の他端側となる先端部には、挿排口から挿入され搬送される光ディスク１０１の外周縁に当接する係合手段を構成する突起部３５１が設けられている。この突起部３５１は、イジェクトアーム３５０が回動すると、ガイドアーム３３０の係合凹部３３３に係脱可能に形成されている。また、突起部３５１に近接するイジェクトアーム３５０の先端側には、搬送される光ディスク１０１の外周縁に当接するイジェクトローラ３５２が設けられている。
また、イジェクトアーム３５０には、第一移動カム３１２に係合する回動ピン３５３が設けられている。そして、イジェクトアーム３５０は、第一移動カム３１２が移動することにより、先端部が挿排口に臨む待機状態（図２参照）から、イジェクトローラ３５２がセンタリング位置に位置する光ディスク１０１に当接して位置決め保持する保持状態（図４参照）、さらにはイジェクトローラ３５２が光ディスク１０１から離間する離間状態（図５参照）に回動可能となっている。
さらに、イジェクトアーム３５０には、一端側が筐体１１０に取り付けられた図示しないコイルばねの他端が取り付けられている。このコイルばねは、イジェクトアーム３５０の先端側を筐体１１０の中央側に回動、すなわち先端側が挿排口に向けて臨む図２に示す待機状態となるように付勢力を作用させている。
【００２０】
また、イジェクトアーム３５０には、ベースプレート１１４の図示しないスリット内を移動可能に貫通し、ベースプレート１１４における筐体１１０の底面側に配設された検出手段を構成するスイッチアーム３６０に係合するスイッチピン３５４が設けられている。
スイッチアーム３６０は、イジェクトアーム３５０の回動により回動し、ベースプレート１１４に配設された検出手段としての検出スイッチ３５６をオンオフさせる。すなわち、光ディスク１０１が挿排口から挿入され、突起部３５１に当接してイジェクトアーム３５０が回動されると、スイッチアーム３６０も回動し、検出スイッチ３５６をオフ状態とする。この検出スイッチ３５６がオフ状態となると、制御回路部は光ディスク１０１が挿入されたと判断し、光ディスク１０１をセンタリング位置まで搬送させるために、駆動モータ３１１を駆動させる制御をするようになっている。
また、イジェクトアーム３５０には、光ディスク１０１が挿入されることで回動する側の縁に当接凸部３５５が設けられている。
【００２１】
位置決めガイド部材３７０は、ベースプレート１１４にイジェクトアーム３５０と同一平面上に位置して回動可能に軸支されている。
位置決めガイド部材３７０には、搬送された光ディスク１０１の外周縁に当接する位置決めローラ３７１が設けられている。
そして、位置決めガイド部材３７０は、イジェクトアーム３５０がセンタリング位置に位置する光ディスク１０１を位置決め保持している保持状態（図４参照）でイジェクトアーム３５０の当接凸部３５５が一縁に当接され、トーションばね３７２の付勢力に抗して所定の姿勢に回動される。すなわち、位置決めローラ３７１がセンタリング位置に位置する光ディスク１０１の外周縁に当接して、ガイドアーム３３０、ロードアーム３４０およびイジェクトアーム３５０とともに位置決め保持する状態に設けられている。
また、位置決めガイド部材３７０は、イジェクトローラ３５２が光ディスク１０１から離間する離間状態（図５参照）に回動すると、当接凸部３５５にてトーションばね３７２の付勢力に抗してさらに回動され、位置決めローラ３７１が光ディスク１０１の外周縁から離間する状態に設けられている。
【００２２】
制御回路部は、ディスク装置１００の動作を適宜制御する。
また、制御回路部は、ベースプレート１１４に配設され、第一移動カム３１２の位置に応じてオンオフする複数のスイッチ３８０を備えている。そして、制御回路部は、スイッチ３８０のオンオフ状態に応じて、光ディスク１０１がセンタリング位置に搬送された状態、ターンテーブル２２２にチャッキングした状態、光ディスク１０１がターンテーブル２２２にクランプされて情報処理可能に保持されている状態などを判断する。
さらに、制御回路部は、光ディスク１０１がクランプされている状態で図示しないイジェクトボタンが利用者により操作されると、スイッチ３８０のオンオフ状態を認識し、駆動モータ３１１を駆動させて第一移動カム３１２を移動させ、回動するイジェクトアーム３５０にて光ディスク１０１を押し出すように搬送する制御をする。
【００２３】
〔ディスク装置の動作〕
次に、上記ディスク装置１００の動作について説明する。
【００２４】
まず、図２に示すような光ディスク１０１の挿入の待機状態である初期状態のディスク装置１００に光ディスク１０１が挿入されると、この光ディスク１０１の周縁がイジェクトアーム３５０の突起部３５１に当接する。この状態でさらに光ディスク１０１が挿排口内へ押し込まれるように挿入されると、イジェクトアーム３５０は図示しないコイルばねの付勢力に抗して先端側が背面１１０Ｄ側へ押し込まれるように回動される。
さらに光ディスク１０１が挿入されると、光ディスク１０１の周縁がロードアーム３４０の当接ローラ３４１に当接する。そして、さらに光ディスク１０１が挿入されると、図示しないコイルばねの付勢力に抗してリンクアーム３４３とともにロードアーム３４０を先端側が右壁１１０Ｃ側に押し退けるように回動させる。
そして、光ディスク１０１の直径の位置がロードアーム３４０の当接ローラ３４１を通過する状態まで挿入されると、イジェクトアーム３５０とともに移動するスイッチアーム３６０が検出スイッチ３５６から離間し、検出スイッチ３５６がオフ状態からオン状態となる。この検出スイッチ３５６のオフ状態からオン状態への切り替わりにより、制御回路部は、光ディスク１０１が半分以上挿入されたと判断し、駆動手段３１０の駆動モータ３１１を駆動させる。
この駆動モータ３１１の駆動により、第一移動カム３１２が移動される。この第一移動カム３１２の移動により、リンクアーム３４３が図示しないコイルばねの付勢力に抗して回動され、ロードアーム３４０の先端側が筐体１１０の中央側に向けて回動され、光ディスク１０１が筐体１１０内に押し込まれるように搬送される。
【００２５】
そして、光ディスク１０１がターンテーブル２２２にチャッキングされるセンタリング位置まで搬送されると、図４に示すように、イジェクトアーム３５０の突起部３５１がガイドアーム３３０の係合凹部３３３の第一凹部３３３Ａに係合する。この状態では、ガイドアーム３３０は、回動が規制される。この回動規制の状態は、ガイドアーム３３０のガイド平面３３１Ａがセンタリング位置に位置する光ディスク１０１の周縁の位置と同一位置となる状態である。
さらに、光ディスク１０１がセンタリング位置まで搬送された図４に示す保持状態では、イジェクトアーム３５０の当接凸部３５５が位置決めガイド部材３７０に当接する。この状態では、位置決めガイド部材３７０の位置決めローラ３７１がセンタリング位置に位置する光ディスク１０１の周縁に当接する位置となる。
そして、この図４に示す保持状態では、ガイドアーム３３０のリブ３３１、ロードアーム３４０の当接ローラ３４１、イジェクトアーム３５０のイジェクトローラ３５２、および位置決めガイド部材３７０の位置決めローラ３７１により、光ディスク１０１がセンタリング位置に位置決め保持される。
【００２６】
この図４の保持状態からさらに、第一移動カム３１２は駆動モータ３１１の駆動により移動され、第一移動カム３１２の移動とともに第二移動カム３１３が移動され、ディスク処理部２００が回動される。すなわち、ターンテーブル２２２が光ディスク１０１の搬送経路側に進出するように、ディスク処理部２００のターンテーブル２２２側が筐体１１０の天面側に向けて回動される。
なお、このディスク処理部２００の回動時では、第一移動カム３１２に設けられたカム溝の形状により、ガイドアーム３３０、ロードアーム３４０、イジェクトアーム３５０、および位置決めガイド部材３７０は、光ディスク１０１を保持する状態が維持される。
そして、ターンテーブル２２２が光ディスク１０１の中心の孔に挿入する状態となり、ターンテーブル２２２の先端を筐体１１０の天面に押し付けるようにして光ディスク１０１がターンテーブル２２２にクランプされるチャッキング動作を実施する。さらに、第一移動カム３１２が移動されると、筐体１１０の天面にターンテーブル２２２が押し付けられる状態から、光ディスク１０１がピックアップにて情報処理される位置までディスク処理部２００が揺動される。
【００２７】
この後、さらに第一移動カム３１２が移動され、図５に示すように、ガイドアーム３３０、ロードアーム３４０、イジェクトアーム３５０、および位置決めガイド部材３７０が回動し、光ディスク１０１に当接して位置決め保持する状態が解除される。
すなわち、リンクアーム３４３とともにロードアーム３４０を先端側が右壁１１０Ｃ側に押し退けるように回動させ、光ディスク１０１の周縁から当接ローラ３４１を離間させる。
さらに、イジェクトアーム３５０は、光ディスク１０１の周縁からイジェクトローラ３５２が離間する状態に回動される。この回動により、イジェクトアーム３５０の突起部３５１は、ガイドアーム３３０の係合凹部３３３の第一凹部３３３Ａから第二凹部３３３Ｂに係合し、ガイドアーム３３０は、光ディスク１０１からリブ３３１が離間する状態に回動される。
そしてさらに、イジェクトアーム３５０の回動により、イジェクトアーム３５０の当接凸部３５５が位置決めガイド部材３７０をトーションばね３７２の付勢力に抗して押動して回動させ、位置決めローラ３７１を光ディスク１０１の外周縁から離間させる。
【００２８】
そして、制御回路部は、スイッチ３８０にて第一移動カム３１２が所定位置まで移動したことを認識すると、駆動モータ３１１の駆動を停止させる。
この後、制御回路部は、ディスク回転駆動手段２２０、情報処理部２４０および移動機構部２５０を適宜制御し、情報処理をする。
【００２９】
一方、例えばイジェクトボタンが操作されて、光ディスク１０１を挿排口から排出させる要求を制御回路部が認識すると、駆動モータ３１１を駆動させ、第一移動カム３１２を移動させる。この第一移動カム３１２の移動により、図４に示すように、再びガイドアーム３３０、ロードアーム３４０、イジェクトアーム３５０、および位置決めガイド部材３７０が回動されて光ディスク１０１を位置決め保持する状態となる。
さらに、第一移動カム３１２の移動により第二移動カム３１３も移動し、ターンテーブル２２２が光ディスク１０１の搬送経路から後退する状態に、ディスク処理部２００のターンテーブル２２２側を筐体１１０の底面側に揺動させる。このディスク処理部２００の回動により、光ディスク１０１からターンテーブル２２２が引き抜かれるようにクランプが解除される。
この後、さらに第一移動カム３１２が移動され、図６に示すように、イジェクトアーム３５０にて光ディスク１０１が挿排口から押し出されるように排出される。
【００３０】
〔ディスク装置の作用効果〕
上述したように、上記実施の形態のディスク装置１００では、光ディスク１０１がガイドアーム３３０にて案内されつつロードアーム３４０に搬送されてセンタリング位置に位置する状態で、搬送に応じて回動されたイジェクトアーム３５０の先端側が光ディスク１０１に重畳しない外周縁から外側の位置でガイドアーム３３０に当接してガイドアーム３３０を回動規制し、ガイドアーム３３０、ロードアーム３４０、イジェクトアーム３５０および位置決めガイド部材３７０にて光ディスク１０１をセンタリング位置に位置決め保持する。さらに、駆動手段３１０により光ディスク１０１からロードアーム３４０を離間する方向に回動させるとともに回動されるイジェクトアーム３５０がガイドアーム３３０を光ディスク１０１から離間する方向に押動させる構成としている。
このため、ガイドアーム３３０は、排出のために比較的に長さ寸法が長いイジェクトアーム３５０を用いて回動状態が制御されるので、光ディスク１０１の搬送経路上で、光ディスク１０１を搬送するガイドアーム３３０およびイジェクトアーム３５０が重なり合う状態とはならない。したがって、ガイドアーム３３０を先端側が光ディスク１０１の位置決め保持と、情報処理のための離間との少ない回動量でよいことから、容易に小型化できる。さらには、光ディスク１０１のセンタリング位置では重なり合わない構成であることから、ディスク装置１００の厚さ寸法も容易に薄型化できる。よって、軽量化やコストの低減も容易に図れる。
【００３１】
そして、ガイドアーム３３０を長手状に形成し、光ディスク１０１の搬送経路の一側、すなわち筐体１１０の左壁１１０Ｂ側に長手方向が搬送経路に沿って先端側が搬送経路に進退可能に回動する状態で、イジェクトアーム３５０の先端部が、ガイドアーム３３０の回動中心と先端側との中間位置に当接可能に配設している。
このため、光ディスク１０１の搬送経路上でガイドアーム３３０とイジェクトアーム３５０とが重なり合わないようにする構成が容易に得られ、ディスク装置１００の小型軽量化が容易に得られる。
【００３２】
また、イジェクトアーム３５０を当接させてガイドアーム３３０の回動を規制する構成として、互いに係脱する係合凹部３３３および突起部３５１を、それぞれガイドアーム３３０とイジェクトアーム３５０に設けている。
このため、ピン状の簡単な構成の突起部３５１が係脱する簡単な凹溝形状の係合凹部３３３を設ける簡単な構成で、ディスク装置１００を小型軽量化できる構成が得られる。
さらには、イジェクトアーム３５０に突起部３５１を特に回動先端部に設けたことから、単にイジェクトローラ３５２を設けたのみの構成に比して、光ディスク１０１を十分に挿排口から排出させるための長さ寸法となり、挿排口から排出される光ディスク１０１の取出が用意にできる。
さらに、係合凹部３３３の凹溝形状であることから、単に突起部３５１をガイドアーム３３０の一縁に当接させて回動規制する構成に比して、確実にガイドアーム３３０の回動を規制できる。すなわち、例えばコイルばね３３２Ａの引張力を強くして光ディスク１０１を位置決め保持する際に先端側が外側に回動してしまう不都合を防止する必要がない。このため、イジェクトアーム３５０を強い引張力に抗してガイドアーム３３０に当接させる必要が無く、円滑なイジェクトアーム３５０の回動が得られるとともに、コイルばね３３２Ａを小型軽量化できるので、ディスク装置１００の小型軽量化がより容易に得られる。
【００３３】
そして、係合凹部３３３として、イジェクトアーム３５０の突起部３５１が係合した状態で、光ディスク１０１を位置決め保持する第一凹部３３３Ａと、光ディスク１０１の情報処理のためにガイドアーム３３０を光ディスク１０１から離間させる第二凹部３３３Ｂとが連続する一連の凹溝形状としている。
このため、確実に回動規制できるガイドアーム３３０の構成をより小型軽量化できる。
【００３４】
また、イジェクトアーム３５０の回動基端側の近傍に、イジェクトアーム３５０の回動平面上に位置して同一平面上で回動可能に位置決めガイド部材３７０を設けている。そして、この位置決めガイド部材３７０としては、センタリング位置に搬送した光ディスク１０１の周縁にイジェクトアーム３５０の先端側が当接して位置決め保持する際にイジェクトアーム３５０が当接して回動規制され、ガイドアーム３３０、ロードアーム３４０およびイジェクトアーム３５０とともに光ディスク１０１をセンタリング位置に位置決め保持するとともに、イジェクトアーム３５０が光ディスク１０１から離間する際にイジェクトアーム３５０に押動されて光ディスク１０１から離間する状態に設けている。
このため、ガイドアーム３３０、ロードアーム３４０およびイジェクトアーム３５０にて光ディスク１０１を位置決め保持する場合に比して、より確実にセンタリング位置で光ディスク１０１を位置決め保持できる。さらには、位置決めガイド部材３７０をイジェクトアーム３５０に重ね合わせることなく同一平面上に配設しているので、ディスク装置１００の厚さ寸法が厚くなることなく、より確実にセンタリング位置で光ディスク１０１を位置決め保持できる構成が得られる。
【００３５】
そして、ロードアーム３４０を回動させて光ディスク１０１を挿入させる駆動モータ３１１を駆動させるタイミングを検出させる検出スイッチ３５６を、イジェクトアーム３５０の回動によりオンオフする構成としている。
このため、ガイドアーム３３０および位置決めガイド部材３７０の回動規制に加え、駆動モータ３１１の駆動制御のための構成もイジェクトアーム３５０にて得られ、共有化によるさらなる構成の簡略化が得られる。
特に、イジェクトアーム３５０がベースプレート１１４に軸支される構成であることから、検出スイッチ３５６、さらにはイジェクトアーム３５０の回動に応じて検出スイッチ３５６に接離してオンオフさせるスイッチアーム３６０を、ベースプレート１１４のイジェクトアーム３５０が配設される側と反対側に配設させることができ、ディスク装置１００の小型化がより容易に図れる。
【００３６】
〔実施形態の変形〕
なお、本発明は、上述した一実施の形態に限定されるものではなく、本発明の目的を達成できる範囲で以下に示される変形をも含むものである。
【００３７】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置など、いわゆるスロットインタイプのいずれのディスク装置１００に適用することができる。
また、第一移動カム３１２を駆動モータ３１１の駆動により移動させて、イジェクトアーム３５０などを回動させる構成としたが、例えば電動モータにて直接回動させる構成など、光ディスク１０１を挿入・排出させる駆動構成としては、他の構成を適用できる。
【００３８】
そして、係合凹部３３３をガイドアーム３３０に設け、突起部３５１をイジェクトアーム３５０に設けて説明したが、反対に設けてもよい。さらには、これら凹溝形状および係脱する突起形状に限らず、互いに係脱可能で、係脱により回動規制できるいずれの形状とすることができる。
例えば、ガイドアーム３３０に係合凹部３３３を設けず、コイルばね３３２Ａの引張力を強くし、イジェクトアーム３５０の先端縁がガイドアーム３３０の一縁に当接可能な構成とする。そして、ガイドアーム３３０の先端側が筐体１１０の中心側に回動することをイジェクトアーム３５０の先端縁を当接させて回動規制するとともに、光ディスク１０１を位置決め保持させるガイドアーム３３０の位置から先端側が左壁１１０Ｂ側に移動しないようにコイルばね３３２Ａにて引っ張る。さらに、情報処理時に光ディスク１０１から離間させる場合には、さらに回動するイジェクトアーム３５０の先端縁にてさらにガイドアーム３３０を押動する構成とするなどしてもよい。
また、イジェクトアーム３５０にてガイドアーム３３０を押動する構成を例示したが、例えば引っ掛けて引っ張るようにガイドアーム３３０を位置決め、さらには光ディスク１０１から離間する状態に退避させるなど、押したり引いたりするなどして連動するいずれの構成を適用できる。
【００３９】
また、搬送手段３００としては、アーム構成としたが、これに限られない。すなわち、ガイド部材として、長手状のガイドアーム３３０としたが、長手状でなくてもよい。同様に、ロードアーム３４０も長手状に限らず、イジェクトアーム３５０も長手Ｌ字状に限られない。
さらに、位置決めガイド部材３７０を設けない構成としてもよい。
【００４０】
その他、本発明の実施の際の具体的な構造および手順は、本発明の目的を達成できる範囲で他の構造などに適宜変更できる。
【００４１】
［実施形態の作用効果］
上記実施形態では、光ディスク１０１が搬送されてセンタリング位置に位置する状態で、搬送に応じて回動されたイジェクトアーム３５０の先端側が光ディスク１０１に重畳しない位置でガイドアーム３３０に当接してガイドアーム３３０を回動規制し、ガイドアーム３３０、ロードアーム３４０およびイジェクトアーム３５０にて光ディスク１０１をセンタリング位置に位置決め保持する。さらに、駆動手段３１０により光ディスク１０１からロードアーム３４０を離間する方向に回動させるとともに回動されるイジェクトアーム３５０がガイドアーム３３０を光ディスク１０１から離間する方向に押動させる構成としている。
このため、ガイドアーム３３０は、排出のために比較的に長さ寸法が長いイジェクトアーム３５０を用いて回動状態が制御されるので、光ディスク１０１の搬送経路上で、光ディスク１０１を搬送するガイドアーム３３０およびイジェクトアーム３５０が重なり合う状態とはならず、ガイドアーム３３０の先端側が光ディスク１０１の位置決め保持する位置と、情報処理のための離間させる位置との少ない回動量でガイドアーム３３０を回動させるのみでよいことから、容易に小型化できる。さらには、光ディスク１０１のセンタリング位置では重なり合わない構成であることから、ディスク装置１００の厚さ寸法も容易に薄型化できる。よって、軽量化やコストの低減も容易に図れる。
【図面の簡単な説明】
【００４２】
【図１】本発明を説明するための前提となるディスク装置の内部構成を示す平面図である。
【図２】本発明に係る一実施形態のディスク装置の初期状態における内部構成を示す平面図である。
【図３】前記実施形態におけるディスク装置の内部構成を示す概略正面断面図である。
【図４】前記実施形態におけるディスク装置のセンタリング時の内部構成を示す概略平面図である。
【図５】前記実施形態におけるディスク装置のチャッキング後の情報処理する状態の内部構成を示す概略平面図である。
【図６】前記実施形態におけるディスク装置のイジェクト時の内部構成を示す概略平面図である。
【符号の説明】
【００４３】
１００……ディスク装置
１０１……ディスク状記録媒体としての光ディスク
１１０……筐体
２２０……回転機構部としてのディスク回転駆動手段
３００……搬送機構部を構成する搬送手段
３１０……駆動手段
３１１……駆動手段を構成する駆動モータ
３１２……駆動手段を構成する移動カムである第一移動カム
３３０……ガイド部材としてのガイドアーム
３３３……係合手段を構成する係合凹部
３３３Ａ…第一凹部
３３３Ｂ…第二凹部
３４０……挿入部材としてのロードアーム
３５０……排出部材としてのイジェクトアーム
３５１……係合手段を構成する突起部
３５６……検出手段としての検出スイッチ
３７０……位置決めガイド部材
【図１】
2010153008.tif 000003
【図２】
2010153008.tif 000004
【図３】
2010153008.tif 000005
【図４】
2010153008.tif 000006
【図５】
2010153008.tif 000007
【図６】
2010153008.tif 000008